(57)【要約】      （修正有）【課題】光ディスク装置において、ディスクが高速回転しているときに、ディスク上面の隙間に発生する負圧によって、トップカバーが変形することを低減させる。【解決手段】光ディスク装置１は、ボトムカバー４とトップカバー３を係合することによって形成された筐体と、筐体の中に配置された光ディスクを保持するためのディスクトレイ８と、トレイの下側に配置されたユニットメカ７と、を有する。トップカバーは上面が凸となるように湾曲しており、湾曲したトップカバーの尾根は、ディスクトレイのローディング方向に対して、直交、又は、平行となるように延びている。【選択図】図１
2009170038.tif 000002
【特許請求の範囲】
【請求項１】
ボトムカバーとトップカバーを係合することによって形成された筐体と、該筐体の中に配置された光ディスクを保持するためのディスクトレイと、該トレイの下側に配置されたユニットメカと、を有し、前記ユニットメカには、スピンドルモータ、光ピックアップ、及び、ターンテーブルが装着されている光ディスク装置において、
前記トップカバーは上面が凸となるように湾曲しており、該湾曲したトップカバーの尾根は、前記ディスクトレイのローディング方向に対して、直交、又は、平行となるように延びていることを特徴とする光ディスク装置。
【請求項２】
請求項１記載の光ディスク装置において、前記ボトムカバーの両側の側板と背部の側板の少なくとも一方に突起が形成されており、上記トップカバーは、上記突起によって湾曲していることを特徴とする光ディスク装置。
【請求項３】
請求項１記載の光ディスク装置において、前記突起は前記ボトムカバーの側板の中央部に設けられていることを特徴とする光ディスク装置。
【請求項４】
請求項１記載の光ディスク装置において、前記突起は前記ボトムカバーの側板の２つのねじ締結部の間に、又は、２つの嵌合結合部の間に配置されていることを特徴とする光ディスク装置。
【請求項５】
請求項１記載の光ディスク装置において、上記トップカバーの内面に凸部が形成され、該凸部が、前記ボトムカバーの側板に当接することによって、上記トップカバーは、湾曲していることを特徴とする光ディスク装置。
【発明の詳細な説明】
【技術分野】
【０００１】
本発明は、光ディスクの記録及び再生を行う光ディスク装置に関し、特に、スリム型光ディスク装置に関する。
【背景技術】
【０００２】
近年、光ディスク装置では、記録再生速度の高速化に伴い、ディスクの回転数が高速化している。例えば、ＣＤ２４倍速ではディスクの回転数は毎分５４００回転に達する。
【０００３】
ディスクが高速で回転しているとき、ディスクの上面に、負圧が発生する。この負圧によって、ディスクとトップカバーには、互いに引き合う力が作用する。
【０００４】
スリム型光ディスク装置では、薄型化及び軽量化のために、トップカバーは、アルミニウムの薄板等の軽量材によって形成されている。そのため、トップカバーの剛性は小さくなる傾向にある。従って、ディスクの上面に発生する負圧に起因して、トップカバーは、ディスクに向かって、変形する。スリム型光ディスク装置では、ディスクとトップカバー間の隙間が小さく、例えば、１ｍｍ程度である。従って、トップカバーが変形すると、ディスクに更に近接する。
【０００５】
トップカバーの変形を回避するには、トップカバーの剛性を大きくすればよい。トップカバーの剛性を大きくするには、トップカバーを、剛性の高い材料によって形成し、その厚さを大きくすればよい。しかしながら、それでは、スリム型光ディスク装置の薄型化及び軽量化を達成することができない。
【０００６】
特許文献１には、トップカバーのディスクの外周部分と対向する部分に貫通孔を設けて、ディスク上面部の負圧力を低減する構造が記載されている。また、ディスクとほぼ同心のリング状の凹部を設けることでディスク上面部の空間の空気層に乱流を発生させる構造が開示されている。
【０００７】
【特許文献１】特開２００６−１４７００３号公報
【発明の開示】
【発明が解決しようとする課題】
【０００８】
特許文献１に記載された貫通孔を設ける構造では、ディスクとトップカバー間の空間に貫通孔を介して外気を導入することにより、負圧を低減する。この場合、外気に含まれる埃などが貫通孔を介して導入される可能性がある。また、ディスクが高速回転するときに発生する騒音が貫通孔から漏れ出し、騒音特性の劣化を引き起こす。
【０００９】
特許文献１に記載されたリング状の凹部を設ける構造では、薄板のトップカバーをプレス加工により、凹部構造を成形する。プレス加工では、加工後の残留反り変形が不可避的に発生する。そのため、トップカバーとボトムカバーを高精度にて嵌合加工することは困難である。嵌め合い加工の誤差によって、歪み、隙間等ができると、騒音漏洩が発生し、騒音特性の劣化を引き起こす。
【００１０】
本発明の目的は、ディスクが高速回転しているときに、ディスク上面の隙間に発生する負圧によって、トップカバーが変形することを低減させることにある。
【課題を解決するための手段】
【００１１】
本発明の光ディスク装置は、ボトムカバーとトップカバーを係合することによって形成された筐体と、該筐体の中に配置された光ディスクを保持するためのディスクトレイと、該トレイの下側に配置されたユニットメカと、を有する。
【００１２】
本発明によると、トップカバーは上面が凸となるように湾曲しており、該湾曲したトップカバーの尾根は、ディスクトレイのローディング方向に対して、直交、又は、平行となるように延びている
【発明の効果】
【００１３】
本発明によれば、ディスクが高速回転しているときに、ディスク上面の隙間に発生する負圧によって、トップカバーが変形することを低減させることができる。
【発明を実施するための最良の形態】
【００１４】
図１は、本発明によるにおける光ディスク装置の構成例を説明する。本例の光ディスク装置１は、直径120ｍｍ、厚さ1.2ｍｍの寸法を有するＣＤ、ＤＶＤ、ＢＤ（ブルーレイ・ディスク）、ＨＤ-ＤＶＤ等の記録媒体の記録面に対して情報の記録再生を行う。光ディスク装置１は、幅130ｍｍ、奥行き130ｍｍ、厚さ12.7ｍｍの薄い箱型のスリム型ドライブと称されるものと、幅130ｍｍ、奥行き130ｍｍ、厚さ9.5ｍｍの更に薄い箱型のスーパスリム型ドライブと称されるものが知られている。スリム型又はスーパスリム型の光ディスク装置は、ノート型パーソナルコンピュータ等に搭載される。
【００１５】
本例の光ディスク装置１は、トップカバー３とボトムカバー４を嵌合及びネジ締結により組み立てることにより製造された筐体を有する。トップカバー３とボトムカバー４は、薄板金属板をプレス成形することにより製造される。光ディスク装置には、樹脂成形品であるディスクトレイ８が配置されている。ディスクトレイ８の前端８Ａには、図示していないフロントパネルが装着される。
【００１６】
ディスクトレイ８の下面にユニットメカ７が装着されている。ユニットメカ７は、弾性部材からなる複数のインシュレータを介してディスクトレイ８に取り付けられている。インシュレータによって、装置外部からユニットメカ７へ伝わる振動や衝撃、及び、ユニットメカ７から外部へ伝わる振動や衝撃を減衰している。ディスクトレイ８は、両側のガイド機構９によって移動することができる。
【００１７】
ユニットメカ７は、躯体であるメカシャシ（図示なし）を有する。メカシャシには、ディスクを回転駆動するスピンドルモータ６、ディスク２を支持するターンテーブル、ディスクの記録面の情報を再生し、又は、記録面に情報を記録するための光学ヘッド５、光学ヘッド５をディスクの半径方向に沿って移動させるための駆動手段、及び、これらの部品への接触防止や電気的なノイズを防止するユニットカバーが装着されている。
【００１８】
ディスクトレイ８の中央には、ディスクの外径より僅かに大きな円形溝が形成されている。この円形溝の底面の一部は切り取られ、ユニットメカ７に装着されたユニットカバー、光学ヘッド５、スピンドルモータ６が露出している。ディスクトレイ８の切り取り部により、ディスクとユニットメカ７の間に空間が形成されている。ディスクの脱着時には、ディスクトレイ８、ユニットメカ７及びフロントパネルは一体になって、矢印Ｙにて示す方向に沿って移動する。このような構造はトレイ方式と称される。
【００１９】
本発明の光ディスク装置１では、ボトムカバー４に突起２１が形成されている。突起２１の機能については、後に詳細に説明する。
【００２０】
図２を参照して、ディスクが高速で回転しているとき、ディスク上面部の空間に発生する負圧を説明する。ディスクが高速で回転しているとき、ディスクの表面では、空気の粘性抵抗に起因して気流が発生する。この気流は、ディスクの回転方向に従って螺旋状に流れる。即ち、ディスクの表面の空気は、ディスクの中心から外側に流れる。そのため、ディスクの表面では、中心付近で負圧となる。
【００２１】
ディスクの下側では、ユニットメカ７の光学ヘッド５が走行する範囲に設けた開口部や、ユニットメカ７とディスクトレイ８の隙間などから図に示した矢印のように下方からの空気の流れ込みが発生する。このため、ディスク下面の空間Ｂでは空気流の循環により大きな圧力変動は発生しない。即ち、ディスクの下面では、負圧は発生しない。
【００２２】
一方、ディスクの上面の空間Ａは、トップカバー３によって密閉されている。そのため、ディスクの中心に流入する空気の流れは生じない。従ってディスクの上面では、負圧が発生する。この負圧によって、ディスクとトップカバーには、互いに引き合う力が吸引力が作用する。この吸引力が、スピンドルモータ６の回転軸を支持するスラスト（軸方向）吸引力を越えた場合には、該回転軸が僅かに上昇し、ディスク２が上方に持ち上がる。
【００２３】
また、この吸引力によって、トップカバー３は、ディスク２に近づくように、変形する。トップカバー３が変形すると、トップカバー３とボトムカバー４の嵌合部に隙間が発生する。この隙間より、ディスク回転時の流体音などの騒音が漏洩する。また、トップカバー３が変形して、ディスク２に近づくと、トップカバー３とディスク２の接触の問題が発生する。
【００２４】
図３は、ディスクが高速で回転しているときの、トップカバー３の変形を示す。変形量が同一である点は、等高線によって表される。ディスクの中央に対応した位置の変形量が最も大きい。ディスク回転数が毎分５４００回転のとき、等高線の中心付近では0.1ｍｍから0.2ｍｍ程度の変形となる。
【００２５】
トップカバー３の前縁３Ａは、ボトムカバー４と嵌合していないため、上下方向の変形に対する剛性が比較的小さい。従って、トップカバー３の前縁３Ａの変形量は、0.05ｍｍから0.1ｍｍ程度となり、トップカバー３の左右側の縁３Ｂ、３Ｃ、背部の縁３Ｄにおける変形量より大きい。
【００２６】
トップカバーの中央部の変形によって、トップカバー３とボトムカバー４の嵌合部が変形し、隙間が生じる。これらの隙間から光ディスク装置１内部で発生する騒音が漏洩し、ディスク２の高速回転時の騒音特性の劣化を引き起こす。
【００２７】
図４Ａ及び図４Ｂを参照して本発明に光ディスク装置のトップカバー３に形成された剛性補強構造の例を説明する。トップカバー３の左右の縁３Ｂ、３Ｃ、及び、背部の縁３Ｄに沿って表示された点線は、トップカバー３とボトムカバー４の嵌合部を示す。本発明によるとトップカバー３を直線に沿って湾曲させることによって、剛性を高める。
【００２８】
図４Ａに示す例では、トップカバー３の右側の縁３Ｂと左側の縁３Ｃを結ぶ線ＲＬに沿って、トップカバー３を湾曲させる。線ＲＬは、トップカバー３の前縁３Ａと背部の縁３Ｄの略中央に配置されている。トップカバー３は上面が凸となるように、湾曲させる。線ＲＬは、湾曲したトップカバー３の尾根の位置を示す。こうして、トップカバー３を湾曲させることによって、曲線ＢＬに沿った曲げに対する剛性が高くなる。
【００２９】
図４Ｂに示す例では、トップカバー３の前縁３Ａと背部の縁３Ｄを結ぶ線ＲＬに沿って、トップカバー３を湾曲させる。線ＲＬは、トップカバー３の左側の縁３Ｃと右側の縁３Ｂの略中央に配置されている。トップカバー３は上面が凸となるように、湾曲させる。線ＲＬは、湾曲したトップカバー３の尾根の位置を示す。こうして、トップカバー３を湾曲させることによって、曲線ＢＬに沿った曲げに対する剛性が高くなる。
【００３０】
図５Ａ、図５Ｂ及び図５Ｃを参照して説明する。図５Ａは、従来のボトムカバー４の構造を示す。ボトムカバー４は、薄板の鋼材をプレス加工及び曲げ加工することにより製造される。ボトムカバー４は、底板４Ａ、右側の側板４Ｂ、左側の側板４Ｃ、及び、背部の側板４Ｄからなる。これらの側板は、底板４Ａに対して折り曲げられて形成される。図示のように、右側の側板４Ｂには、トップカバー３の爪部を支持するための引っ掛け部（嵌合部）１３が設けられている。また、左側の側板４Ｃには、トップカバーとねじ締結するためのねじ締結部１２が設けられている。ボトムカバー４の３つの側板４Ａ、４Ｂ、４Ｃは、同一高さを有する。従って、ボトムカバー４の上にトップカバー３を装着すると、トップカバー３は、ボトムカバー４の底板と平行に配置される。従って、トップカバー３は、撓みが生じないように、３辺がボトムカバー４の側板に接触する。
【００３１】
図５Ｂは、本発明による光ディスク装置のボトムカバーの第１の例を示す。本例では、ボトムカバー４の左側の側板４Ｃの上端に、突起２１Ａが形成されている。突起２１Ａは、左側の側板４Ｃの略中央に配置されている。突起２１Ａの形状及び寸法は特に限定されてない。突起２１Ａの形状は、弓形、半円、円弧の一部、又は、任意の曲線であってよく、更に、三角形等の尖った先端を有するものでもよい。突起２１Ａの高さは、１ｍｍ以下であってよい。
【００３２】
こうして、本例では、ボトムカバー４の左側の側板４Ｃに、突起２１Ａを設けることによって、ボトムカバー４に装着されたトップカバーは、湾曲する。本例では、湾曲したトップカバー３の尾根は、図４Ａに示す線ＲＬの沿って延びている。尚、ボトムカバー４の右側の側板４Ｂには突起は設けられていない。従って、トップカバーの湾曲量は、ボトムカバー４の左側の側板４Ｃでは、突起２１Ａの高さに相当するが、ボトムカバー４の右側の側板４Ｂでは、ゼロである。即ち、トップカバーの湾曲量は、ボトムカバー４の左側の側板４Ｃから右側の側板４Ｂに至るまで漸減する。
【００３３】
突起２１Ａは、ボトムカバー４と一体的に形成されてよい。即ち、薄板の鋼材をプレス加工及び曲げ加工することにより、左側の側板に突起２１Ａを備えたボトムカバー４を製造する。
【００３４】
図５Ｃは、本発明による光ディスク装置のボトムカバーの第２の例を示す。本例では、ボトムカバー４の左側の側板４Ｃの上端に湾曲部２１Ｂが形成されている。湾曲部２１Ｂの上縁は、弓形に湾曲している、即ち、中央が高く両側に緩やかな曲線を描いている。
【００３５】
こうして、本例では、ボトムカバー４の左側の側板４Ｃに、湾曲部２１Ｂを設けることによって、ボトムカバー４に装着されたトップカバーは、湾曲する。本例では、湾曲したトップカバー３の尾根は、図４Ａに示す線ＲＬの沿って延びている。尚、ボトムカバー４の右側の側板４Ｂには突起は設けられていない。従って、トップカバーの湾曲量は、ボトムカバー４の左側の側板４Ｃでは、湾曲部２１Ｂの高さに相当するが、ボトムカバー４の右側の側板４Ｂでは、ゼロである。即ち、トップカバーの湾曲量は、ボトムカバー４の左側の側板４Ｃから右側の側板４Ｂに至るまで漸減する。
【００３６】
図６Ａを参照して、本発明による光ディスク装置のボトムカバーの第３の例を説明する。図６Ａに示すように、本例では、ボトムカバー４の背部の側板４Ｄの上端に、突起２３が形成されている。突起２３は、ボトムカバー４の背部の側板４Ｄの略中央に配置されている。突起２３の形状及び寸法は特に限定されてない。突起２３の高さは、１ｍｍ以下であってよい。
【００３７】
こうして、本例では、ボトムカバー４の背部の側板４Ｄに、突起２３を設けることによって、ボトムカバー４に装着されたトップカバーは、湾曲する。本例では、湾曲したトップカバー３の尾根は、図４Ｂに示す線ＲＬの沿って延びている。尚、ボトムカバー４の前縁には、側板が設けられていない。従って、トップカバーの湾曲量は、ボトムカバー４の背部の側板３Ｄでは、突起２３の高さに相当するが、ボトムカバー４の前縁では、ゼロである。即ち、トップカバーの湾曲量は、ボトムカバー４の背部の側板４Ｄから前縁に至るまで漸減する。
【００３８】
図６Ｂを参照して、本発明による光ディスク装置のボトムカバーの第４の例を説明する。本例では、ボトムカバー４の左側の側板４Ｃの上端に、突起２１Ａが形成され、右側の側板４Ｂの上端に、突起２２が形成されている。２つの突起２１Ａ、２２は、同一形状及び同一寸法を有するように形成してよい。突起２１Ａ、２２の形状及び寸法は特に限定されてない。突起２１Ａ、２２の高さは、１ｍｍ以下であってよい。
【００３９】
こうして、本例では、ボトムカバー４の左側の側板４Ｃに突起２１Ａを設け、右側の側板４Ｂに突起２２を設けることによって、ボトムカバー４に装着されたトップカバーは、湾曲する。本例では、湾曲したトップカバー３の尾根は、図４Ａに示す線ＲＬの沿って延びている。尚、２つの突起２１Ａ、２２の形状及び寸法が同一であると、トップカバーの湾曲量は、ボトムカバー４の左側の側板４Ｃから右側の側板４Ｂに至るまで一定である。
【００４０】
図示のように、本例では、更に、ボトムカバー４の背部の側板４Ｄの上端に、突起２３が形成されてよい。突起２３は、図６Ａにて示したものと同一である。こうして、本例では、ボトムカバー４の左側の側板４Ｃに、突起２１Ａを設け、右側の側板４Ｂに、突起２２を設け、背部の側板４Ｄに、突起２３を設けることによって、ボトムカバー４に装着されたトップカバーは、湾曲する。本例では、湾曲したトップカバー３の尾根は、図４Ａに示す線ＲＬの沿って延びている。更に。湾曲したトップカバー３の尾根は、ボトムカバー４の背部の側板４Ｄから、図４Ａに示す線ＲＬ方向に延びている。
【００４１】
図７Ａを参照して、本発明による光ディスク装置のトップカバーの例を説明する。本例のトップカバー３には、２つの凸部２４、２５が設けられている。凸部２４は、トップカバー３の内面にて、左側の縁３Ｃに沿って設けられている。凸部２５は、トップカバー３の内面にて、右側の縁３Ｂに沿って設けられている。
【００４２】
凸部２４、２５は、プレス絞り加工によって形成されてよい。凸部２４、２５の形状は、弓形、半円、円弧の一部、又は、任意の曲線であってよく、更に、三角形等の尖った先端を有するものでもよい。凸部２４、２５の高さは、１ｍｍ以下であってよい。
【００４３】
本例のトップカバーをボトムカバーに装着すると、凸部２４、２５は、ボトムカバーの左右の側板に当接する。従って、トップカバーは、湾曲する。本例では、湾曲したトップカバー３の尾根は、図４Ａに示す線ＲＬの沿って延びている。尚、２つの凸部２４、２５の形状及び寸法が同一であると、トップカバーの湾曲量は、ボトムカバー４の左側の側板４Ｃから右側の側板４Ｂに至るまで一定である。
【００４４】
本例によると、トップカバー３の内面に設けられた凸部２４、２５は、ボトムカバー４の左右の側板に設けられた突起と同様な機能を提供する。
【００４５】
図示のように、本例では、トップカバー３の内面に２つの凸部２４、２５を設けたが、１つの凸部のみを設けてもよい。更に、本例では、凸部２４は、トップカバー３の内面にて、左右の縁３Ｃに沿って設けられているが、背部の縁３Ｄの沿って設けてもよい。
【００４６】
図７Ｂは、本発明による光ディスク装置のボトムカバーの第５の例を示す。本例では、ボトムカバー４の左側の側板４Ｃの上端に、突起２１Ｃが形成されている。本例の突起２１Ｃを、図５Ｂに示した突起２１Ａと比較すると、本例の突起２１Ｃは、ボトムカバー４とは別個の部材として形成されている点が異なる。それ以外は、本例のボトムカバーは、図５Ｂに示した第１の例と同様であってよい。突起２１Ｃは、溶接、ハンダ付け等によって、ボトムカバー４の左側の側板４Ｃの上端に接続される。
【００４７】
尚、本例の突起２１Ｃは、ボトムカバー４の右側の側板４Ｂ、背部の側板４Ｄに設けてもよい。
【００４８】
図８Ａ及び図８Ｂを参照して、本発明による光ディスク装置における、トップカバー３の変形抑制効果を説明する。図８Ａは、図３に示すトップカバーの線Ｂ−Ｂに沿って切断した断面における、トップカバーの変形量を示す。図８Ａの横軸は、トップカバーの横方向の位置である。図８Ａの縦軸は、トップカバーの変形量の相対値δである。実線の曲線１０１は、本発明の光ディスク装置におけるトップカバー３の変形量を示し、破線の曲線１０２は、従来技術の光ディスク装置におけるトップカバー３の変形量を示す。
【００４９】
図８Ｂは、図３に示すトップカバーの線Ａ−Ａに沿って切断した断面における、トップカバーの変形量を示す。図８Ｂの横軸は、トップカバーの横方向の位置である。図８Ａの縦軸は、トップカバーの変形量の相対値δである。実線の曲線１０３は、本発明の光ディスク装置におけるトップカバー３の変形量を示し、破線の曲線１０４は、従来技術の光ディスク装置におけるトップカバー３の変形量を示す。
【００５０】
尚、図３には、トップカバーの横方向の位置を示すために、ＸＹ座標軸を設定した。この座標軸は、トップカバーの左端を原点とし、トップカバーの右端に進む方向に、Ｘ軸をとり、トップカバーの奥行き方向に沿ってＹ軸をとる。
【００５１】
図８Ａの曲線と図８Ｂの曲線を比較すると、図８Ｂの曲線のほうが変形量が大きい。これは、トップカバーの前縁における変形量は、トップカバーの中心部における変形量より大きいことを示す。トップカバーの前縁は、ボトムカバーの側板によって支持されていない。一方、トップカバーの中心部は、ボトムカバーの左右の側板と背部の側板によって支持されている。従って、トップカバーの中心部における変形量は比較的小さい。
【００５２】
図８Ａにおいて、実線の曲線１０１のほうが、破線の曲線１０２より小さな値を示す。即ち、本発明の光ディスク装置におけるトップカバーの中心部における変形量は、従来の技術によるトップカバーと比較すると、より小さい。図８Ａに示すように、本発明の光ディスク装置におけるトップカバーの中心部における変形量は、従来の技術によるトップカバーと比較して、７０％程度に抑制することができる。
【００５３】
本発明の光ディスク装置におけるトップカバーの左右の縁に近い領域における変形量は、従来の技術によるトップカバーと比較して、僅かであるが小さい。以上より、本発明による光ディスク装置では、左右の縁において、ボトムカバー４とトップカバー３の隙間を小さくすることができる。そのため、内部にて発生した騒音の漏洩を小さくすることができる。
【００５４】
図８Ｂにおいて、実線の曲線１０３のほうが、破線の曲線１０４より小さな値を示す。即ち、本発明の光ディスク装置におけるトップカバーの前縁における変形量は、従来の技術によるトップカバーと比較して、より小さい。図８Ｂに示すように、本発明の光ディスク装置におけるトップカバーの前縁における変形量は、従来の技術によるトップカバーと比較して、７０％程度に抑制することができる。こうして、本発明の光ディスク装置では、前面の開口の変形量を減少させることができる。そのため、光ディスク装置の前面の開口付近の隙間を減少させることができる。
【００５５】
以上本発明の例を説明したが、本発明は上述の例に限定されるものではなく、特許請求の範囲に記載されたい発明の範囲にて様々な変更が可能であることは当業者によって容易に理解されよう。
【図面の簡単な説明】
【００５６】
【図１】本発明によるにおける光ディスク装置の構成例を説明する図である。
【図２】光ディスク装置において、ディスクが高速で回転しているとき、ディスク上面部の空間に発生する負圧を説明する図である。
【図３】光ディスク装置において、ディスクが高速で回転しているとき、トップカバー３の変形量を示す図である。
【図４】本発明による光ディスク装置のトップカバーに形成された剛性補強構造の例を説明する図である。
【図５Ａ】本発明による光ディスク装置のボトムカバーの第１、及び、第２の例を説明する図である。
【図５Ｂ】本発明による光ディスク装置のボトムカバーの第１、及び、第２の例を説明する図である。
【図５Ｃ】本発明による光ディスク装置のボトムカバーの第１、及び、第２の例を説明する図である。
【図６】本発明による光ディスク装置のボトムカバーの第３の例を説明する図である。
【図７】本発明による光ディスク装置のトップカバーの例及びボトムカバーの第４及び第５の例を説明する図である。
【図８】本発明による光ディスク装置におけるトップカバーの剛性補強構造の変形抑制効果を説明する図である。
【符号の説明】
【００５７】
１…光ディスク装置、２…ディスク、３…トップカバー、４…ボトムカバー、５…光学ヘッド、６…スピンドルモータ、７…ユニットメカ、８…ディスクトレイ、９…ガイド機構、１２…ねじ締結部、１３…嵌合部（引っ掛け部）、２１、２１Ａ…突起、２１Ｂ…湾曲部、２１Ｃ…突起、２２、２３…突起、２４、２５…凸部
【図１】
2009170038.tif 000003
【図２】
2009170038.tif 000004
【図３】
2009170038.tif 000005
【図４】
2009170038.tif 000006
【図５Ａ】
2009170038.tif 000007
【図５Ｂ】
2009170038.tif 000008
【図５Ｃ】
2009170038.tif 000009
【図６】
2009170038.tif 000010
【図７】
2009170038.tif 000011
【図８】
2009170038.tif 000012